(57)【要約】【課題】車椅子に座った状態で容易に着用することができ、しかも車椅子に座る位置に生地の折り重なり部を無くして体に痛みを加えることがない車椅子用ウエディングドレスを提供するものである。【解決手段】車椅子用ウエディングドレス１０は、縦方向に２つに分けたドレス前面部１２とドレス後面部１４とから成る。ドレス前面部１２には両側の縦方向に第一ファスナー２８，３０を備え、ドレス後面部１４の両側の縦方向に第二ファスナー３６，３８を備える。ドレス前面部１２とドレス後面部１４とで花嫁を挟み、第一ファスナー２８，３０と第二ファスナー３６，３８とを係合することでドレス前面部１２とドレス後面部１４を固定して花嫁にウエディングドレスを着用することができる。【選択図】図１
2013209764.tif 000002
【特許請求の範囲】
【請求項１】
縦方向に２つに分けたドレス前面部とドレス後面部とから成り、ドレス前面部の左右両縁の少なくとも一方に第一連結手段を備え、ドレス後面部の左右両縁の少なくとも一方に第二連結手段を備え、前記第一連結手段と前記第二連結手段とを固定することでドレス前面部とドレス後面部とを固定することを特徴とする車椅子用ウエディングドレス。
【請求項２】
前記ドレス前面部は、胸部と外側腹部とから成る上身頃と、内側腹部とスカート部とからなるドレス下側部とから構成し、前記ドレス後面部を上部布と下部布とから構成し、前記上身頃と前記上部布を固定し、前記ドレス下側部と前記下部布とを固定することを特徴とする特許請求項１記載の車椅子用ウエディングドレス。
【請求項３】
前記内側腹部が左右に伸縮自在としたことを特徴とする特許請求項１または２記載の車椅子用ウエディングドレス。
【請求項４】
前記ドレス後面部を平面状の布から構成することを特徴とする請求項１乃至３記載のいずれか１項記載の車椅子用ウエディングドレス。
【請求項５】
前記連結手段を線ファスナーとしたことを特徴とする特許請求項１乃至４記載のいずれか１項記載の車椅子用ウエディングドレス。
【請求項６】
前記ドレス前面部の裏面に、一方がオスで他方がメスである互いに着脱自在な第一面フアスナーと第二面フアスナーとを同一縦方向に備え、下側に配置した面フアスナーの下端を前記ドレス前面部の裾付近に配置したことを特徴とする特許請求項１乃至５」記載のいずれか１項記載の車椅子用ウエディングドレス。
【請求項７】
前記第一面フアスナーと前記第二面フアスナーとの間に間隔を設けたことを特徴とする特許請求項６記載の車椅子用ウエディングドレス。
【発明の詳細な説明】
【技術分野】
【０００１】
本発明は車椅子を使用する花嫁が着用する車椅子用ウエディングドレスに関する。
【背景技術】
【０００２】
結婚式に花嫁が着用するウエディングドレスは、一般に、上半身側のドレス上衣部から下半身側のドレス下衣部までが一体に形成されている。ドレス上衣部は胸や腹等の体型に合致した形状に形成され、ドレス下衣部は円錐形に膨らんだ形状に形成され、そのドレス下衣部の外面にはフリルやギャザー等の装飾部が取付けられている。
【０００３】
従来既知の一般的なウエディングドレスの他に、ウエディングドレスをドレス上衣部とドレス下衣部から分離構成し、ドレス上衣部とドレス下衣部との色を異なるものとすることで、多様性を持たせるようにしたものが特許文献１に示されている。
【先行技術文献】
【特許文献】
【０００４】
【特許文献１】特開平６−３１６８０１
【発明の開示】
【発明が解決しようとする課題】
【０００５】
車椅子を使用する女性（自分で立つことが困難な女性、例えば身体障害者の女性や一時的な怪我をした女性等）がウエディングドレスを着る場合、ウエディングドレスの筒状の空間内に車椅子を使用する女性の体を挿入させなければならず、立つことができない女性がウエディングドレスを着用することはなかなか困難であった。また、ウエディングドレスのドレス下衣部は円錐形に膨らんだ形状に形成されているが、円錐形に膨らんだ形状のドレス下衣部では車椅子に座りにくいという欠点があった。
【０００６】
本発明は、車椅子に座った状態で容易に着用することができ、しかも車椅子に座る位置に生地の折り重なり部を無くして体に痛みを加えることがない車椅子用ウエディングドレスを提供するものである。
【課題を解決するための手段】
【０００７】
本発明に係わる車椅子用ウエディングドレスは、縦方向に２つに分けたドレス前面部とドレス後面部とから成り、ドレス前面部の左右両縁の少なくとも一方に第一連結手段を備え、ドレス後面部の左右両縁の少なくとも一方に第二連結手段を備え、前記第一連結手段と前記第二連結手段とを固定することでドレス前面部とドレス後面部とを固定することを特徴とするものである。本発明は、前記ドレス前面部は、胸部と外側腹部とから成る上身頃と、内側腹部とスカート部とからなるドレス下側部とから構成し、前記ドレス後面部を上部布と下部布とから構成し、前記上身頃と前記上部布を固定し、前記ドレス下側部と前記下部布とを固定することを特徴とするものである。本発明は、前記内側腹部が左右に伸縮自在としたことを特徴とするものである。本発明は、前記ドレス後面部を平面状の布から構成することを特徴とするものである。本発明は、前記連結手段を線ファスナーとしたことを特徴とするものである。本発明は、前記ドレス前面部の裏面に、一方がオスで他方がメスである互いに着脱自在な第一面フアスナーと第二面フアスナーとを同一縦方向に備え、下側に配置した面フアスナーの下端を前記ドレス前面部の裾付近に配置したことを特徴とするものである。本発明は、前記第一面フアスナーと前記第二面フアスナーとの間に間隔を設けたことを特徴とするものである。
【発明の効果】
【０００８】
本発明の車椅子用ウエディングドレスは、縦方向に２つに分けたドレス前面部とドレス後面部とから構成する。車椅子用ウエディングドレスを縦方向に２つに分けたことによって、車椅子にドレス後面部を載せて、そのドレス後面部を載せた車椅子に花嫁を載せ、その花嫁の上からドレス前面部を載せ、車椅子に花嫁を載せた状態で、ドレス前面部の第一連結手段とドレス後面部の第二連結手段とを連結して、花嫁を内部空間に包んだ状態の車椅子用ウエディングドレスとすることができる。即ち、花嫁を車椅子に載せた状態で、ドレス前面部の第一連結手段とドレス後面部の第二連結手段とを連結するだけで、簡単に花嫁にウエディングドレスを着せることができる。
【０００９】
本発明では、ドレス前面部を上方の上身頃と下方のスカート部とから構成し、ドレス後面部を上方の上部布と下方の下部布とから構成し、上身頃と上部布とを着脱自在に固定し、スカート部と下部布とを着脱自在に固定する。このように、ドレス前面部とドレス後面部とを上下に分割した場合に、花嫁が車椅子に座ったままウエディングドレスを着用することが容易になる。更に、車椅子に接触するドレス後面部（上面布及び下面布）を例えば平面状の布とすることで、車椅子に座る位置の花嫁の背面に重なり部が無くなり、花嫁の背面に痛さを加えることがない。また、ウエディングドレスの縦方向の約半分のドレス後面部を平面状の布とすることで、従来既知のウエディングドレスに比べて、素材のコストや製造コストを大幅に低減することができる。
【図面の簡単な説明】
【００１０】
【図１】本発明の一実施例を示す車椅子用ウエディングドレスを正面側から見た分割斜視図である。
【図２】図１の車椅子用ウエディングドレス側面側から見た分割斜視図である。
【図３】図１や図２に示すドレス前面部とドレス後面部とを連結した状態の斜視図である。
【図４】図１の車椅子用ウエディングドレスを着用した車椅子に載った花嫁の斜視図である。
【図５】図１の車椅子用ウエディングドレスのドレス前面部とドレス後面部とを連結した箇所の下端付近を裏側から見た図である。
【発明を実施するための最良の形態】
【００１１】
次に、本発明を図面に基づいて説明する。図１は本発明に係る車椅子用ウエディングドレスの一実施例を示す正面側から見た分解斜視図、図２は図１の車椅子用ウエディングドレスを側面側から見た分解斜視図である。本発明に係る車椅子用ウエディングドレス１０は、車椅子を使用する花嫁が着用するものであり、縦方向に約半分に分割したドレス前面部１２とドレス後面部１４とから成るものである。
【００１２】
ドレス前面部１２は、従来既知のウエディングドレスを縦半分に分割した前面側と同じ形状や素材を使用するものである。ドレス前面部１２は、上身頃１６と、ドレス下側部１８とから構成する。上身頃１６は、花嫁の胸部に対向する位置のドレス胸部２０と、花嫁の腹部に対向する位置の外側に位置する外側腹部２２、とを一体に形成したものである。ドレス下側部１８は、相対的上部に前記外側腹部２２の内側に位置するための内側腹部１８と、相対的下部に花嫁の下半身の前側を覆う円錐形の約半分の形状であって外面に一般にフリルやギャザー等の装飾が取付けられているスカート部２６と、を一体荷形成したものから構成する。内側腹部２４は、左右側に伸縮する伸縮性を有する素材を使用することが望ましい。内側腹部２４は、左右に伸縮するゴムなどの伸縮性部材（図示せず）を取り付けたものであっても良い。内側腹部２４が左右に伸縮する伸縮性を備えるのは、車椅子用ウエディングドレス１０を着用した花嫁が車椅子に座った際に、車椅子用ウエディングドレス１０の内側腹部２４が花嫁のお腹を締付けることがないようにするためである。
【００１３】
上身頃１６には、その左右両縁側に縦方向に、連結手段としての上部第一ファスナー（線ファスナー）２８が取付けられる。ドレス下側部１８には、その左右両縁側に縦方向に、連結手段としての第一下部ファスナー（線ファスナー）３０が取付けられる。
【００１４】
ドレス後面部１４は、上身頃１６と固定するための上部布３２と、ドレス下側部１８と固定するための下部布３４と構成する。上部布３２及び下部布３４は伸縮性があり、通気性や吸汗性の良い平面状のものとする。上部布３２及び下部布３４の生地はポリエステル製とすることが望ましいが、それに限るものではない。上部布３２の縦方向の左右両縁側に、上身頃１６の上部第一ファスナー２８と係合する連結手段としての上部第二ファスナー（線ファスナー）３６が取付けられる。下部布３４の縦方向の左右両縁側に、ドレス下側部１８の下部第一ファスナー３０と係合する連結手段としての下部第二ファスナー（線ファスナー）３８が取付けられる。
【００１５】
ドレス下側部１８の下部第一ファスナー３０と下部布３４の下部第二ファスナー３８とを係合することで、花嫁の腹部から下方がドレス下側部１８と下部布３４とによってそれらの内部に包まれ、上身頃１６の上部第一ファスナー２８と上部布３２の上部第二ファスナー３６とを係合することで、花嫁の胸部と腹部が上身頃１６と上部布３２によってそれらの内部に包まれる。ドレス前面部１２とドレス後面部１４とを連結することで、内部に花嫁を包むあるいは収容するための空間部４０を形成したウエディングドレス１０を形成する（図３）。
【００１６】
このウエディングドレス１０において、ドレス前面部１２は従来既知のウエディングドレスと同じフリルやギャザー等の装飾が施されるが、ドレス後面部１４は上部布３２と下部布３４とから成っている。上部布３２は、車椅子の背もたれより上方に見えるので、上部布３２は装飾性のあるデザインが施されている。下部布３４は花嫁と車椅子に挟まれているので、何ら装飾を施す必要はなくても良い。
【００１７】
車椅子用ウエディングドレス１０は、その上部側を上身頃１６と上部布３２で構成し、その下部側をドレス下側部１８と下部布３４で構成した。即ち、車椅子用ウエディングドレス１０を上下２箇所に分けることによって、花嫁により効率よくウエディングドレスを着用させることができる。
【００１８】
次に、本発明の車椅子用ウエディングドレス１０を花嫁に着用する場合について説明する。先ず、花嫁を載せていない車椅子４２に下部布３４を置く、その後、下部布３４を置いた車椅子４２の上に、歩行困難な花嫁を載せ、その花嫁の上にドレス下側部１８を被せる。その後、ドレス下側部１８の下部第一ファスナー３０と、下部布３４の下部第二ファスナー３８とを係合することで、ドレス下側部１８と下部布３４とを連結固定することができる。その後、花嫁の胸側に上身頃１６を被せ、花嫁の背中側の上方に上部布３２を置き、上身頃１６の上部第一ファスナー２８と、上部布３２の上部第二ファスナー３６とを係合することで、上身頃１６と上部布３２とを連結固定することができる。この結果、車椅子４２に座った状態の花嫁をドレス前面部１２とドレス後面部１４とで包むことができる。この際に、上身頃１６の外側腹部２２がドレス下側部１８内側腹部２４の外側に配置する。図４に示すように、車椅子４２に座った状態の花嫁を前面から見れば、フリルやギャザー等の装飾が施されたドレス前面部１２が見える。
【００１９】
以上のように、本発明に係る車椅子用ウエディングドレス１０によれば、車椅子４２を使用する女性に車椅子用ウエディングドレス１０を簡単に着用させることができ、しかも車椅子４２に座った状態の花嫁の本発明の車椅子用ウエディングドレスは、正面や側面から見て従来既知のウエディングドレスに比べて遜色の無いものである。
【００２０】
図５は、ドレス前面部１２のスカート部２６とドレス後面部１４の下部布３４とを連結した箇所の裾付近を裏側から見た図である。スカート部２６において、下縁付近位置（裾位置かまたは裾付近位置）から縦方向に上方に伸びる位置に配置した第一面ファスナー４４と、その第一面ファスナー４４から間隔４６を開けて縦方向に上方に伸びる位置に配置した第二面ファスナー４８とを設ける。第一面ファスナー４４と第二面ファスナー４８は、一方がオスで他方がメスである着脱自在な取付手段である。第一面ファスナー４４と第二面ファスナー４８とを接合させることで、ドレス前面部１２のスカート部２６の裾上げを行なうことができる。図５では第一面ファスナー４４を相対的に下側に配置し、第二面ファスナー４８を相対的に上側に配置したが、第二面ファスナー４８を下側に配置し、第一面ファスナー４４を上側に配置しても良い。
【００２１】
第一面ファスナー４４と第二面ファスナー４８との間に間隔４６を設けたが、その間隔４６は間隔４６の途中の折り曲げ位置を調整することで、裾上げの長さを調整できるようにするためである。ドレス前面部１２の裏側には、１箇所だけでなく、間隔を開けて複数箇所において第一面ファスナー４４と第二面ファスナー４８とのペアを取付けても良い。第一面ファスナー４４と第二面ファスナー４８とを接合させることで、ドレス前面部１２におけるドレス後面部１４に近い位置で裾上げを行なうのは、車椅子４２の車輪が車椅子用ウエディングドレス１０の裾を踏んだり、裾に絡まったりするのを防ぐためである。
【００２２】
ドレス前面部１２に第一面ファスナー４４と第二面ファスナー４８とのペアを取付けたが、ドレス後面部１４においても、第一面フアスナーと第二面フアスナーとのペアを取付けるようにしても良い。ドレス後面部１４の下部布３４における第一面ファスナー４４に近い位置で、下縁位置から縦方向に上方に伸びる位置に配置した第一面ファスナー５０と、その第一面ファスナー５０から間隔５２を開けて縦方向に上方に伸びる位置に配置した第二面ファスナー５４とを設ける。これによって、ドレス後面部１４の下部布３４の裾上げを行なうことができる。第一面ファスナー５０と第二面ファスナー５４との間に間隔５２を設けたのは、裾上げの長さをその間隔５２の間で調整できるようにするためである。
【００２３】
ドレス前面部１２とドレス後面部１４とを連結するための連結手段として、線ファスナー（上部第一ファスナー２８と下部第一ファスナー３０と上部第二ファスナー３６と下部第二ファスナー３８）を示したが、ドレス前面部１２とドレス後面部１４とを連結するための連結手段は、ボタンやホックなどの既知のものを使用しても良い。しかし、線ファスナーを使用することで、綺麗な仕上がりを保つことができ、連結も容易である。ドレス前面部１２とドレス後面部１４とを連結するための連結手段を両側２箇所としたが、１箇所のみ（少なくとも一方）であっても良い。また、ドレス前面部１２やドレス後面部１４の裾上げの取付手段として、第一面ファスナー４４，５０と第二面ファスナー５０，５４を用いたが、第一面ファスナー４４，５０や第二面ファスナー５０，５４以外のものを用いても良い。
【００２４】
上述の説明では、ドレス前面部１２を、上身頃１６とドレス下側部１８とから構成したが、それらを一体にしても良いし、それ以上に分割したものであっても良い。また、ドレス後面部１４を上部布３２と下部布３４とから構成したが、それらを一体にしても良いし、それ以上に分割したものであっても良い。
【符号の説明】
【００２５】
１０  車椅子用ウエディングドレス
１２  ドレス前面部
１４  ドレス後面部
１６  上身頃
１８  ドレス下側部
２０  胸部
２２  外側腹部
２４  内側腹部
２６  スカート部
２８  上部第一ファスナー
３０  下部第一ファスナー
３２  上部布
３４  下部布
３６  上部第二ファスナー
３８  下部第二ファスナー
４０  空間部
４２  車椅子
４４  第一面ファスナー
４６  間隔
４８  第二面ファスナー
５０  第一面ファスナー
５２  間隔
５４  第二面ファスナー
【図１】
2013209764.tif 000003
【図２】
2013209764.tif 000004
【図３】
2013209764.tif 000005
【図４】
2013209764.tif 000006
【図５】
2013209764.tif 000007